(57)【特許請求の範囲】
【請求項１】
つぎの事項（１）〜（９）により特定される方法の発明。
（１）表示手段と利用者入力手段を備えたコンピュータにおいて、元歌歌詞データを読み込んで第１〜第５ステップの処理を行わせることより替え歌歌詞データを編集する方法であること
（２）元歌歌詞データは、行単位で区分された元歌歌詞文字列情報と、元歌色変え制御情報を含むこと
（３）元歌色変え制御情報は、元歌歌詞文字列情報の各１文字にそれぞれ対応付けした色変え開始時刻と色変え終了時刻を含むこと
（４）第１ステップは、元歌歌詞データの元歌歌詞文字列情報Ａに基づいて元歌歌詞文字列Ｂを表示すること
（５）第２ステップは、利用者入力に従い、表示上の元歌歌詞文字列Ｂの部分文字列Ｃを特定すること
（６）第３ステップは、利用者入力された置換文字列Ｄを部分文字列Ｃに対応付けして表示すること
（７）第４ステップは、元歌歌詞文字列情報Ａの部分文字列Ｃを置換文字列Ｄに置換してなる替え歌歌詞文字列情報Ｅを作成すること
（８）第５ステップは、元歌歌詞文字列情報Ａに対応する元歌色変え制御情報Ｆに基づいて替え歌歌詞文字列情報Ｅの替え歌色変え制御情報Ｇを作成し、替え歌歌詞文字列情報Ｅと替え歌色変え制御情報Ｇを対応付けして替え歌歌詞データとすること
（９）元歌色変え制御情報Ｆにおける部分文字列Ｃの先頭文字の色変え開始時刻から末尾文字の色変え終了時刻までの時間帯が、替え歌色変え制御情報Ｇにおける置換文字列Ｄの各文字の色変え開始時刻と色変え終了時刻の連なりに均等に割り付けられていること
【発明の詳細な説明】
【０００１】
【発明の属する技術分野】
この発明は、元歌の歌詞映像に代えて、利用者が編集した替え歌の歌詞映像を表示する機能を備えるカラオケ演奏装置に関する。
【０００２】
【従来の技術】
元歌（原曲）とは別に作成された替え歌の歌詞映像を表示することができるカラオケ演奏装置が提案されており、特開平８−１６０９７１号公報には、入力装置を備え、これにより任意の歌詞データを編集することができるカラオケ演奏装置が記載されている。また、特開平１０−２６９９１号公報には、文字入力手段を備え、この文字入力手段により元歌の固有名詞部分を編集することができるカラオケ演奏装置が記載されている。
【０００３】
ところで、通常のカラオケ演奏装置は、歌唱者が適切な歌唱時期を把握できるよう、ディスプレイに表示されている歌詞映像に対してカラオケ伴奏音楽の進行に同期させた色変え処理が行われるのが普通である。そのため、元歌の歌詞を替え歌の歌詞に変更する場合には、この色変えの制御情報の取り扱いが問題となる。前述した後者の公報にはこの点についての記載がある。
【０００４】
【発明が解決しようとする課題】
しかしながら、この後者の公報に記載されたカラオケ演奏装置の色変え制御情報は、音楽生成データ中における音源制御データの時間軸上に組み込まれているため、替え歌に変更した文字列部分に対応する色変え制御情報を特定することが極めて難しい。また、色変え制御情報はディスプレイ上の座標位置で表記されているため、特に、替え歌の歌詞の文字数が元歌の歌詞の文字数と異なる場合には、実際に表示される文字位置に合わせて座標位置を調節するという面倒な作業が必要となる。
【０００５】
一方、前述した２種のカラオケ演奏装置には別の問題もある。すなわち、いずれのカラオケ演奏装置についても、カラオケ演奏装置で替え歌を編集するようになっているため、カラオケ演奏装置が設置された場所でなければ替え歌を編集することができないのである。
【０００６】
本発明はこのような事情に鑑みてなされたもので、替え歌の色変え制御情報を容易に変更することができ、しかも、カラオケ演奏装置の設置場所でなくても替え歌を編集することができるカラオケ演奏装置を提供し、さらに、このカラオケ演奏装置に合わせた歌詞描出データの編集方法を提供することを目的とする。
【０００７】
【課題を解決するための手段】
この発明に係る替え歌歌詞編集方法は、つぎの事項（１）〜（９）により特定されるものである。
（１）表示手段と利用者入力手段を備えたコンピュータにおいて、元歌歌詞データを読み込んで第１〜第５ステップの処理を行わせることより替え歌歌詞データを編集する方法であること
（２）元歌歌詞データは、行単位で区分された元歌歌詞文字列情報と、元歌色変え制御情報を含むこと
（３）元歌色変え制御情報は、元歌歌詞文字列情報の各１文字にそれぞれ対応付けした色変え開始時刻と色変え終了時刻を含むこと
（４）第１ステップは、元歌歌詞データの元歌歌詞文字列情報Ａに基づいて元歌歌詞文字列Ｂを表示すること
（５）第２ステップは、利用者入力に従い、表示上の元歌歌詞文字列Ｂの部分文字列Ｃを特定すること
（６）第３ステップは、利用者入力された置換文字列Ｄを部分文字列Ｃに対応付けして表示すること
（７）第４ステップは、元歌歌詞文字列情報Ａの部分文字列Ｃを置換文字列Ｄに置換してなる替え歌歌詞文字列情報Ｅを作成すること
（８）第５ステップは、元歌歌詞文字列情報Ａに対応する元歌色変え制御情報Ｆに基づいて替え歌歌詞文字列情報Ｅの替え歌色変え制御情報Ｇを作成し、替え歌歌詞文字列情報Ｅと替え歌色変え制御情報Ｇを対応付けして替え歌歌詞データとすること
（９）元歌色変え制御情報Ｆにおける部分文字列Ｃの先頭文字の色変え開始時刻から末尾文字の色変え終了時刻までの時間帯が、替え歌色変え制御情報Ｇにおける置換文字列Ｄの各文字の色変え開始時刻と色変え終了時刻の連なりに均等に割り付けられていること
【００１４】
【発明の実施の形態】
＝＝＝カラオケ演奏装置の基本機能＝＝＝
図１に本実施例におけるカラオケ演奏装置の概略構成を示す。カラオケ演奏装置の全体は、ＣＰＵ・メモリ等を含んで構成される中央制御装置１１によって統括制御される。また、利用者インタフェースとして、操作制御装置１３、操作パネル１５、リモコン送信器１７、表示パネル１９を備え、操作制御装置１３は操作パネル１５やリモコン送信器１７から送られてくる信号を中央制御装置１１に伝えるとともに表示パネル１９の表示制御を行う。ハードディスク装置２１ではＭＩＤＩ規格などによって符号化された音楽生成データと歌詞描出データとがそれぞれ楽曲ＩＤ別に整理されて格納されたデータベースが稼動している。カラオケ演奏装置は通信制御装置２３により公衆通信網Ｎと接続し、これを通じてホスト装置２５から送られてくるカラオケデータをデータベースに追記する。フロッピーディスク装置２７（前述したデータ読取装置に相当）はセットされたフロッピーディスク（以下ＦＤと記載）に対してデータの読み書きを行う。
【００１５】
カラオケ演奏装置は選曲情報が入力されると、該当するカラオケデータをハードディスク装置２１から読み出す。中央制御装置１１は読み出したカラオケデータに含まれる音楽生成データをシンセサイザ２９に順次転送する。シンセサイザ２９は音楽生成データに基づいてカラオケ伴奏音楽を生成し、ミキシングアンプ３１はこのカラオケ伴奏音楽とマイクロホン３３からの信号を合成してスピーカ３５に出力する。
【００１６】
一方、中央制御装置１１は、前記歌詞描出データに基づいて歌詞映像を生成し、その映像をビデオＲＡＭ３７に出力する。前記歌詞描出データには色変え制御情報が含まれており、ビデオＲＡＭ３７に出力された歌詞映像にはカラオケ伴奏音楽の進行に同期した色変え処理が施される。
【００１７】
歌詞描出データにはディスプレイ３９に表示したときの横一行分の文字群に相当する行ごとのブロック単位でＪＩＳコード表記された歌詞文字が定義され、表示レイアウト情報と、表示される歌詞文字の一行ごとの表示消去タイミング情報と、色変え制御情報が付帯する。ここで表示レイアウト情報は前記ＪＩＳコード表記された各歌詞文字ごとのフォントや文字タイプなどを指定した情報であり、また、表示消去タイミング情報は前記ブロック単位の歌詞文字の表示および消去タイミングを規定する情報である。色変え制御情報はその歌詞文字の色変え開始時刻および色変え終了時刻を伴奏音楽の再生開始時点からの累積時間で表記したものである。色変え処理はこの色変え制御情報に基づいて行われる。色替えの仕方としては種々の方法が知られているが、本実施例におけるカラオケ演奏装置は色変え開始時刻からあらかじめ設定されたΔｔの時間が経過する度に、縦が文字のＹ座標幅で、横が（当該文字のＸ座標幅）×Δｔ／（色変え終了時刻−色変え開始時刻）である長方形の領域を色変えしていく。
【００１８】
映像制御装置４３は、以上のようにしてビデオＲＡＭ３７上に生成される歌詞映像と、ビデオＣＤチェンジャ４５から取込んだビデオ映像とを合成してディスプレイ３９に出力する。
【００１９】
＝＝＝替え歌表示機能＝＝＝
図２は、本実施例におけるカラオケ演奏装置の利用形態を概念的に示したものである。本実施例におけるカラオケ演奏装置は、利用者によって持ち込まれたＦＤから、利用者によって編集された替え歌の歌詞描出データ（以下替え歌歌詞データと記載）を取り込み（▲１▼）、元歌の歌詞描出データ（以下元歌歌詞データと記載）に代えてこの替え歌歌詞データに基づいて作成した歌詞映像をカラオケ伴奏音楽に同期させてディスプレイ３９に表示する。また、替え歌の編集の便宜のため、カラオケ演奏装置は、利用者が指定する任意の楽曲の元歌歌詞データをＦＤに書き出す（▲２▼）。利用者はこのＦＤを持ち帰り、パソコンに取り込んで替え歌歌詞データの編集を行う（▲３▼）。以下、これらの作業および処理について詳細に説明する。
【００２０】
＜元歌歌詞データの書き出し機能＞
利用者インタフェースを通じて利用者が歌詞描出データの書き出し要求を行うと、カラオケ演奏装置は、表示パネル１９やスピーカ３５によりフロッピーディスク装置２７に正規のＦＤを正しくセットするよう促す。正規のＦＤが正しくセットされると、表示パネル１９もしくはスピーカ３５により利用者に書き出しを希望する楽曲ＩＤを入力するよう指示する。利用者インタフェースにより所定の楽曲ＩＤが入力されると、その楽曲ＩＤに対応する元歌歌詞データをデータベースから読み出し、当該楽曲ＩＤを付帯させてこれをＦＤに書き込む。ＦＤへの書き込みが終了すると、カラオケ演奏装置は表示パネル１９もしくはスピーカ３５により利用者にフロッピーディスク装置２７からＦＤを取り出すよう促す。
【００２１】
＜替え歌歌詞データの編集＞
利用者が替え歌歌詞データの編集を行うパソコンは、ＣＰＵ、メモリ、フロッピーディスク装置、外部記憶装置などが格納される本体装置と、これに接続するキーボード、マウス、ディスプレイなどの周辺機器によって構成されるごく一般的なパソコンであり、業者などから配布された専用の編集ソフトウエア（以下替え歌編集ソフトと記載）がインストールされている。利用者は、編集したい元歌歌詞データが記録されているＦＤをパソコンにセットする。
【００２２】
利用者が替え歌編集ソフトを起動すると、まず、替え歌編集ソフトは元歌歌詞データが記録された正規のＦＤがフロッピーディスク装置に正しくセットされているかどうかを確認する。正規のＦＤがセットされていることを確認したならば、替え歌編集ソフトはこれに記録されている元歌歌詞データをワークメモリに読み込み、読み込んだ歌詞描出データの歌詞文字列情報および表示レイアウト情報に従って、ブロック単位で並べた元歌の歌詞文字列をディスプレイに表示する。利用者はこの編集画面に対し、キーボードやマウスを操作して編集したい歌詞文字部分を選択する（選択する文字範囲は「は」のように１つの歌詞文字部分であってもよいし、「は山に」のように歌詞文字列部分であってもよい）。
【００２３】
図３は、編集画面において利用者が「は山に」の歌詞文字部分が選択された状態を示している。替え歌編集ソフトはこの操作に応答し、「は山に」の下に文字入力欄を表示する。図４は前記入力欄に替え歌の歌詞として「の勝手でしょ〜」という歌詞文字列が入力された状態を示している（前記入力欄に入力される歌詞文字列の文字数は元歌の歌詞文字の文字数より多くても少なくてもよい）。
【００２４】
また、入力された歌詞文字列に対し、替え歌編集ソフトはバックグラウンド処理により色変え制御情報を自動生成する。図５に色変え処理時間を算出する様子を示す。この図に示すように、替え歌の歌詞文字列「の勝手でしょ〜」の各歌詞文字の色変え開始時刻および色変え終了時刻を、元歌の歌詞文字「は山に」の色変え開始時刻および色変え終了時刻を歌詞文字列「の勝手でしょ〜」を構成する各歌詞文字に均等に割り当て直すことで替え歌の歌詞文字列に対応する色変え制御情報を生成する（割り切れない場合には適宜自動的に切り捨てや四捨五入などの丸め処理を行う）。
【００２５】
また、利用者自身が色変え制御情報を調節することも可能である。この場合には、利用者が編集画面上で元歌歌詞の歌詞文字と替え歌の歌詞文字とを矢線により対応づけし、替え歌編集ソフトは、この対応づけに基づいて色変え制御情報を生成する。
【００２６】
例えば、図６では、「山」の全体が「勝手で」に割り当てられるとともに、利用者によって矢線Ｐによる対応付けがされている。ここで、矢線Ｐは「山」の字の中間位置から延び、その先端は「勝手で」の「勝」の字と「手」の字の間に位置する。そして、この場合、替え歌編集ソフトは、「山」の字の色変えにかかる時間の半分を歌詞文字「勝」の色変え時間に、また、もう半分の時間を歌詞文字列「手で」の色変え時間に割り当て、さらに、その半分の時間をそれぞれ前記歌詞文字列「手で」を構成する「手」の字および「で」の字に割り当てる（割り切れない場合には適宜自動的に切り捨てや四捨五入などの丸め処理を行う）。そして、最終的に替え歌編集ソフトはこのようにして割り当てた各文字ごとの時間配分に従い、歌詞文字列「勝手で」を構成している各歌詞文字の色変え開始時刻および色変え終了時刻を算出する。以上の様子を図７に示す。
【００２７】
替え歌歌詞データの編集が終了すれば、利用者は替え歌編集ソフトに所定の操作を行って替え歌歌詞データをＦＤに記録する。この時、ＦＤに記録される替え歌歌詞データは、元歌歌詞データと同一のデータ形式で表現され、替え歌の歌詞の文字ごとの前記色変え制御情報と、当該替え歌の歌詞文字情報と、表示消去タイミング情報と、当該替え歌の表示レイアウト情報とが含まれる。また、当該替え歌歌詞データの元歌である楽曲の楽曲ＩＤも付帯している。
【００２８】
＜替え歌歌詞データの利用方法＞
ＦＤに記録された替え歌歌詞データを利用する場合には、利用者は利用者インタフェースによりカラオケ演奏装置を替え歌歌詞データの登録モードに変更し、このＦＤをカラオケ演奏装置のフロッピーディスク装置２７にセットする。カラオケ演奏装置はこのＦＤから替え歌歌詞データを読み出し、これをハードディスク装置２１に記録する。
【００２９】
カラオケ演奏装置は、登録した替え歌の歌詞映像を演奏中に表示する替え歌モードを備える。利用者は操作入力装置に対して所定の操作を行うことにより２つのモードを自由に選択することができる。
【００３０】
替え歌モードが選択されている場合において、カラオケ演奏装置はリクエスト曲の演奏前にリクエスト曲の楽曲ＩＤに該当する替え歌歌詞データがハードディスク装置２１に存在するかどうかを調査する。存在した場合には、元歌歌詞データに代えてこの替え歌歌詞データに基く歌詞映像を生成し、カラオケ伴奏音楽の進行に同期してこの歌詞映像をディスプレイ３９に表示する。ハードディスク装置２１に該当する替え歌歌詞データが記録されていなければ、データベースに登録されている元歌歌詞データに基づいて歌詞映像を生成し、これをディスプレイ３９に表示する。
【００３１】
＝＝＝その他の応用＝＝＝
ところで、前述したように利用者が替え歌モードに切り換えるのではなく、リクエスト曲の演奏前に、カラオケ演奏装置が自動的に当該リクエスト曲の楽曲ＩＤに該当する替え歌歌詞データがハードディスク装置２１に記録されているかどうかを確認し、替え歌歌詞データが記録されていた場合には自動的に元歌歌詞データに代えて替え歌歌詞データを利用するようにしてもよい。
【００３２】
また、カラオケ演奏装置に課金装置を設け、替え歌モードで演奏する度に通常の演奏料金以外に別料金を徴収するようにしてもよい。さらに、元歌歌詞データをＦＤに書き出す際に書き出し料を課金するようにしてもよい。
【００３３】
また、替え歌編集ソフトウエアの配布形態としては、ＣＤ−ＲＯＭなどの可搬型記録媒体形式でカラオケ会場や雑誌の付録などの形態で配布してもよいし、パソコン通信やインターネットを通じてダウンロードできるようにしてもよい。
【００３４】
また、替え歌歌詞データの編集に最低限必要な情報、例えば、表示レイアウト情報以外の歌詞文字列情報と、表示消去タイミング情報、色変え制御情報のみをＦＤに書き出し、これを替え歌歌詞データを編集する際のベースとなる元歌歌詞データとすることもできる。このようにすれば、データ容量が減り、例えば一枚のＦＤに数曲分のデータを収容するなどＦＤを有効に利用することができる。
【００３５】
【発明の効果】
本発明におけるカラオケ演奏装置は、歌詞描出データの色変え制御情報として、歌詞の各１文字ごとの色変え開始タイミングと色変え終了タイミングとを直接的あるいは間接的に記述したデータを用いるものであるため、元歌の歌詞と替え歌の歌詞の文字ごとの対応関係を容易に特定していくことができ、替え歌の歌詞の文字ごとの色変え制御情報を容易に生成することができる。
【００３６】
また、替え歌の歌詞の編集を任意のコンピュータ上で行う仕組みとしたため、カラオケ演奏装置を用いず、自宅のパソコンなどでじっくりと腰を据えて替え歌の編集に取り組むことができる。
【図面の簡単な説明】
【図１】本発明の一実施例によるカラオケ演奏装置の概略ブロック構成を示す図である。
【図２】本発明の一実施例によるカラオケ演奏装置の利用形態を概念的に示した図である。
【図３】本発明の一実施例における替え歌編集ソフトウエアの編集画面を示す図である。
【図４】本発明の一実施例における替え歌編集ソフトウエアの編集画面を示す図である。
【図５】本発明の一実施例において替え歌編集ソフトウエアにより色変え処理時間が算出される様子を示す図である。
【図６】本発明の一実施例における替え歌編集ソフトウエアの編集画面を示す図である。
【図７】本発明の一実施例において替え歌編集ソフトウエアにより色変え処理時間が算出される様子を示す図である。
【符号の説明】
１１  中央制御装置
２１  ハードディスク装置
２７  フロッピーディスク装置
３９  ディスプレイ
４３  映像制御装置
【図１】
0004094120.tif 000002
【図２】
0004094120.tif 000003
【図３】
0004094120.tif 000004
【図４】
0004094120.tif 000005
【図５】
0004094120.tif 000006
【図６】
0004094120.tif 000007
【図７】
0004094120.tif 000008